(57)【要約】【課題】ランナー本体を移動規制し、あるいは移動規制を解除でき、必要があれば任意の開放位置において移動規制できる、ランナー規制具を備えた戸パネルの支持装置を提供する。【解決手段】  戸パネルＰ１・Ｐ２に装着される取付部１１と、ガイドレール２で移行案内されるランナー本体１０と、両者１０・１１を連結するランナー軸１２とを備えている。ランナー本体１０とガイドレール２との間に、ランナー規制具を設ける。ランナー規制具は、ガイドレール２の上壁内面に固定される規制ベース４８と、ランナー本体１０のボディ２０の上面に設けられる弾性変形可能な規制アーム４９と、規制アーム４９を付勢するばね５０と、ばね調整ねじ５１とを含む。規制ベース４８の対向面にはそれぞれ規制アーム４９に設けた係合片５５を受け止める一対の受面５３・５４を設ける。規制アーム４９の係合片５５を規制ベース４８の一方の受面５３で受け止めて、ランナー本体１０をガイドレール２の端部において移動規制できるようにする。【選択図】図１
2005171714.tif 000002
【特許請求の範囲】
【請求項１】
戸パネルＰ１・Ｐ２に装着される取付部１１と、ガイドレール２で移行案内されるランナー本体１０と、取付部１１とランナー本体１０との間に設けられて、取付部１１を介して戸パネルＰ１・Ｐ２を吊持するランナー軸１２とを備えている戸パネルの支持装置であって、
ランナー本体１０とガイドレール２との間に、ランナー本体１０の移動を規制するランナー規制具が設けられており、
ランナー規制具が、ガイドレール２の上壁内面に固定される規制ベース４８と、ランナー本体１０のボディ２０の上面に設けられる弾性変形可能な規制アーム４９とを含み、
規制アーム４９の係合片５５を規制ベース４８で受け止めて、ランナー本体１０をガイドレール２の端部において移動規制できるようにしたことを特徴とする戸パネルの支持装置。
【請求項２】
ランナー本体１０の内部に、ランナー軸１２を介して戸パネルＰ１・Ｐ２の高さを調整する高さ調整機構が組み込まれており、
高さ調整機構が、ボディ２０に支軸２１を介して上下揺動自在に軸支される調整レバー２４と、調整レバー２４に設けられる雌ねじ体２５と、一端がボディ２０に回転自在に軸支されていて、調整レバー２４を雌ねじ体２５を介して揺動操作する調整ねじ２６とを含み、
調整ねじ２６の操作頭部３１が、ランナー本体１０の外面の下方に臨んでいる請求項１記載の戸パネルの支持装置。
【請求項３】
規制アーム４９が片持ち梁状のアームで形成されて、アームの先端上面に係合片５５が突設されており、
規制アーム４９と、ボディ２０にねじ込んだばね調整ねじ５１との間に、規制アーム４９を押し上げ付勢するばね５０が配置されており、
ばね調整ねじ５１でばね５０の付勢力を調整して、規制アーム４９の係合片５５が規制ベース４８を乗り越える時の乗り越え抵抗を変更できるようにした請求項１または２記載の戸パネルの支持装置。
【請求項４】
ランナー本体１０の移行方向となる規制ベース４８の両側面には、それぞれ規制アーム４９の係合片５５を乗り上がり案内する受面５３・５４が形成されており、
戸パネルＰ１・Ｐ２を閉じた状態において係合片５５を受け止める受面５３の傾斜角度が、他方の受面５４の傾斜角度に比べて大きく設定されている請求項３記載の戸パネルの支持装置。
【発明の詳細な説明】
【技術分野】
【０００１】
本発明は、折戸や引戸に適用される戸パネルの支持装置、なかでもランナー本体を利用してランナー規制具が構成されている支持装置に関する。
【背景技術】
【０００２】
ランナー本体を利用してランナー規制具を構成することは、特許文献１に公知である。そこでのランナー規制具は、ガイドレールの端部に固定した弾性変形可能な捕捉具と、ランナー本体に設けた連結体とで構成されている。ランナー本体をレール端側へ移動させると、連結体が捕捉具で係合捕捉されるので、戸パネルを開放規制した状態で保持固定できる。必要時には、捕捉具の弾性に抗して連結体を分離操作することにより戸パネルを開放操作できる。
【０００３】
本発明の支持装置においては、ガイドレールの上壁とランナー本体との間にランナー規制具を設けるが、この種のランナー規制具は公知である（特許文献２参照）。そこでは、ガイドレールの上壁に一対の弾性腕を備えたストッパー金具をビスで固定しており、ランナーローラーを一対の弾性腕で下向きに押さえ保持することにより、ランナー本体を開放規制状態で保持固定している。
【０００４】
本発明においては、ランナー本体に高さ調整機構を組み込むが、この種のランナー構造は特許文献３に公知である。そこでは、戸パネルを吊持するランナー軸に雌ねじ体がねじ込んであり、雌ねじ体を一対の傘歯車を介して回転操作することによりランナー軸を上下調整できるようにしている。
【０００５】
【特許文献１】特開平１１−２２２９１号公報（段落番号００２６、図１）
【特許文献２】実公平５−７００８号公報（段落番号０００２、図８）
【特許文献３】特開２００１−２７０７２号公報（段落番号００４０、図１）
【発明の開示】
【発明が解決しようとする課題】
【０００６】
特許文献１のランナー規制具によれば、捕捉具と連結体とが弾性係合して戸パネルを開放規制するので、捕捉具と連結体との係合状態を解除するだけで戸パネルを開放操作できる。しかし、捕捉具をランナー本体と正対する状態でガイドレールの内面側端に固定するので、ガイドレールの側端に捕捉具を配置するためのスペースを確保する必要があり、その分だけ開口枠の側面とランナー軸との左右間隔が大きくならざるをえず、以下の問題を生じる。
【０００７】
例えば一対のランナーで折戸のパネル対を支持するとき、折り畳まれた戸パネルの側端がガイドレールの前後いずれかへ大きく突出するのを避けられず、クローゼットの開口面を折戸で開閉するような場合に、戸パネルの側端が突出した状態で移動する空間をクローゼット内に確保しなければならない。戸パネルの側端が突出するのを避けるために、戸パネルの幅寸法を小さくすると、開口枠と戸パネルとの間に隙間が生じ、この隙間を隠すための遮蔽構造を開口枠側に設ける必要がある。
【０００８】
その点、特許文献２のランナー規制具は、ストッパー金具をガイドレールの上壁内面に固定するので、ランナー本体をガイドレールの側端位置で保持固定でき、開口枠と戸パネルとの間に隙間が生じることもない。さらに必要があれば、ストッパー金具をガイドレールの中途部に固定しておくことにより、戸パネルを開放途中の必要位置で保持固定できる。しかし、レール上で転動するローラーをストッパー金具で下向きに押さえ保持して、ランナー本体の移動を規制するので、戸パネルを開閉するときランナー本体が開閉方向へ揺れ動きやすい。
【０００９】
そのため、例えば戸パネルを急開閉するような場合に、ランナー本体がストッパー金具から抜け出るおそれがある。また折戸に適用したランナー本体をストッパー金具で保持固定する場合には、パネル対を開閉するときランナー本体が揺れ動くので、パネル対をスムーズに開閉できない。繰り返し開閉するうちに、ストッパー金具が変形して、ローラーを押さえ保持する力が徐々に低下する傾向があり、長期使用時の信頼性に欠ける。
【００１０】
本発明の目的は、ランナー本体をガイドレールの側端位置で確実に移動規制し、あるいは移動規制を解除して戸パネルを開放操作でき、必要があれば任意の開放位置において戸パネルを仮固定できるランナー規制具を備えた、戸パネルの支持装置を提供することにある。
【００１１】
本発明の目的は、ランナー本体に高さ調整機構とランナー規制具とが組み込んであって、戸パネルの高さ調整がランナー本体側で行える戸パネルの支持装置を提供することにある。
【００１２】
本発明の目的は、ランナー規制具の開放規制力を施工現場で調整して適正化し、施工後であっても開放規制力を調整でき、したがって戸パネルを全開放する場合と、部分開放する場合とのいずれの場合にも、戸パネルを軽快に開閉でき、あるいは確実に閉じ状態に保持固定できる戸パネルの支持装置を提供することにある。
【課題を解決するための手段】
【００１３】
本発明の戸パネルの支持装置は、戸パネルＰ１・Ｐ２に装着される取付部１１と、ガイドレール２で移行案内されるランナー本体１０と、取付部１１とランナー本体１０との間に設けられて、取付部１１を介して戸パネルＰ１・Ｐ２を吊持するランナー軸１２とを備えている。ランナー本体１０とガイドレール２との間には、ランナー本体１０の移動を規制するランナー規制具が設けてある。ランナー規制具は、ガイドレール２の上壁内面に固定される規制ベース４８と、ランナー本体１０のボディ２０の上面に設けられる弾性変形可能な規制アーム４９とを含む。以て、規制アーム４９の係合片５５を規制ベース４８で受け止めて、ランナー本体１０をガイドレール２の端部において移動規制できるようしたことに特徴を有する（請求項１）。
【００１４】
ランナー本体１０の内部には、ランナー軸１２を介して戸パネルＰ１・Ｐ２の高さを調整する高さ調整機構が組み込んである。この高さ調整機構は、ボディ２０に支軸２１を介して上下揺動自在に軸支される調整レバー２４と、調整レバー２４に設けられる雌ねじ体２５と、一端がボディ２０に回転自在に軸支されていて、調整レバー２４を雌ねじ体２５を介して揺動操作する調整ねじ２６とを含み、調整ねじ２６の操作頭部３１が、ランナー本体１０の外面下方に臨んでいる（請求項２）。
【００１５】
規制アーム４９は片持ち梁状のアームで形成し、アームの先端上面に係合片５５が突設されている。規制アーム４９と、ボディ２０にねじ込んだばね調整ねじ５１との間には、規制アーム４９を押し上げ付勢するばね５０が配置されており、ばね調整ねじ５１でばね５０の付勢力を調整して、規制アーム４９の係合片５５が規制ベース４８を乗り越える時の乗り越え抵抗を変更できるようにすることができる（請求項３）。
【００１６】
ランナー本体１０の移行方向となる規制ベース４８の両側面には、それぞれ規制アーム４９の係合片５５を乗り上がり案内する受面５３・５４が形成されており、戸パネルＰ１・Ｐ２を閉じた状態において、係合片５５を受け止める側の受面５３の傾斜角度を、他方の受面５４の傾斜角度に比べて大きく設定することができる（請求項４）。
【発明の効果】
【００１７】
本発明では、戸パネルの支持装置におけるランナー規制具が、ガイドレール２の上壁内面に固定される規制ベース４８と、ランナー本体１０のボディ２０の上面に設けられる弾性変形可能な規制アーム４９などで構成し、規制アーム４９の係合片５５を規制ベース４８で受け止められるようにした。したがって本発明の支持装置によれば、ランナー本体１０をガイドレール２の側端位置で確実に移動規制し、あるいは移動規制を解除して戸パネルＰ１・Ｐ２を開放操作でき、必要に応じてガイドレール２の中途部に規制ベース４８を設けておくことにより、所定の開放位置において戸パネルＰ１・Ｐ２を仮固定できる。
【００１８】
ガイドレール２の側端位置においてランナー本体１０を移動規制するので、戸パネルＰ１・Ｐ２を閉じた状態において、開口枠１と戸パネルＰ１との間に大きな隙間が生じるのを解消でき、従来装置において必要であった隙間を隠すための遮蔽構造を省略できる点で有利である。さらに、例えば一対のランナー６・６で折戸のパネル対Ｐを支持するとき、折り畳まれた戸パネルＰ１・Ｐ２の側端がガイドレール２の前後いずれかへ大きく突出するのを解消できるので、クローゼットの開口面を折戸で開閉するような場合に、クローゼット内の空間を有効利用できる利点もある（請求項１）。
【００１９】
ランナー本体１０に高さ調整機構を組み込んで、戸パネルＰ１・Ｐ２の高さ調整をランナー本体１０の側で行えるようにした支持装置によれば、取付部１１の側に高さ調整機構を設ける必要がないので、その分だけ取付部１１の構造を簡素化し、あるいは取付部１１に調整機構以外の、新たな機能を発揮するための構造を付加することができ、取付部１１の設計の自由度を拡充できる。調整レバー２４と、雌ねじ体２５と、調整レバー２４を揺動操作する調整ねじ２６などで高さ調整機構を構成し、これらの部材をランナー本体１０の内部に組み込むので、高さ調整機構を付加することでランナー本体１０が大形化するのを防止でき、その分だけガイドレール２をコンパクト化できる。調整ねじ２６の操作頭部３１が、ランナー本体１０の外面下方に臨むよう配置されていると、ランナー本体１０がガイドレール２の内部に位置するにもかかわらず、調整ねじ２６の調整操作が楽な姿勢で簡単に行うことができる（請求項２）。
【００２０】
規制アーム４９を片持ち梁状のアームで形成し、その先端上面に係合片５５を突設したうえで、規制アーム４９とボディ２０にねじ込んだばね調整ねじ５１との間に配置したばね５０で、規制アーム４９を押し上げ付勢する形式の支持装置によれば、ばね調整ねじ５１を締緩操作してばね５０の張力を調整することにより、係合片５５が規制ベース４８を乗り越えるときの乗り越え抵抗を大小に変更調整できる。したがって、施工時には、吊り込まれた戸パネルＰ１・Ｐ２の材質や構造の違いなど、パネル重量の違いなどに応じて規制アーム４９の乗り越え抵抗を最適の状態に調整できるし、施工後も、規制アーム４９の弾性力の変化や、規制ベース４８および係合片５５の摩滅度合いなどに応じて規制アーム４９の乗り越え抵抗を好適化できる。つまり、ランナー規制具の規制力を常に好適化できるので、戸パネルＰ１・Ｐ２を全開放する場合と、部分開放する場合とのいずれでも、戸パネルＰ１・Ｐ２を軽快に開閉し、あるいは確実に閉じ状態に保持固定できる支持装置が得られる（請求項３）。
【００２１】
規制ベース４８に、規制アーム４９の係合片５５を乗り上がり案内する受面５３・５４を形成し、戸パネルＰ１・Ｐ２を閉じた状態において、係合片５５を受け止める側の受面５３の傾斜角度が、他方の受面５４の傾斜角度に比べて大きく設定されていると、ランナー本体１０が、規制ベース４８とレール端との間のスペース内へ出入りするときの係合片５５の乗り越え抵抗を異ならせて、ランナー本体１０が先のスペースへは入りやすいが、同スペースからは出にくいようにできる。したがって、戸パネルＰ１・Ｐ２を急開閉するような場合でも、ランナー本体１０が規制ベース４８から抜け出るのを確実に防止でき、パネル対Ｐを開閉するときランナー本体１０が開閉方向へ揺れ動くのを規制して、パネル対Ｐの開閉を円滑に行える（請求項４）。
【発明を実施するための最良の形態】
【００２２】
図面は本発明に係る支持装置を折戸に適用した実施例を示す。図２に示す折戸は、左右一対のパネル対Ｐで構成してあり、両パネル対Ｐは、開口枠１の上下に配置したガイドレール２・３で折り畳み開閉自在に案内支持されている。各パネル対Ｐは２個の戸パネルＰ１・Ｐ２の隣接縁どうしをヒンジ４で連結して構成する。
【００２３】
開口中央側に位置する戸パネルＰ２の屈折縁の近傍には、パネル対Ｐを開閉操作する把手５が固定されている。ヒンジ４は、全展開状態と半展開状態とにおいて、パネル対Ｐを展開状態に維持するクリック機能を備えている。各パネル対Ｐの両側の上面および下面には、それぞれガイドレール２・３で移行案内されるランナー６と振止具７とが装着してある。
【００２４】
図１および図３においてランナー６は、ガイドレール２で移行案内されるランナー本体１０と、戸パネルＰ１・Ｐ２に装着される取付部１１と、ランナー本体１０と取付部１１とを連結するランナー軸１２とを含む。取付部１１は、ランナー本体１０に対してランナー軸１２で相対回転自在に連結されるランナー台１３と、戸パネルＰ１・Ｐ２に固定されるソケット１４とからなる。
【００２５】
図２において振止具７は、ケース１５内に軸１６と、軸１６を押し出し付勢するばね１７とを収容し、軸１６の下端に遊転自在なローラー１８を組み付けて構成する。床面に埋め込んだガイドレール３でローラー１８の回転周面を案内することにより、戸パネルＰ１・Ｐ２は前後傾動が規制されている。
【００２６】
ランナー本体１０は、プラスチック成形品からなる横長ブロック状のボディ２０と、ボディ２０の前後面の左右に配置されて、ローラー軸２１で遊転自在に軸支された４個のローラー２２と、ボディ２０の内部に組み込んだ高さ調整機構とを有する。
【００２７】
図４および図７において高さ調整機構は、一方のローラー軸（支軸）２１で揺動自在に軸支される調整レバー２４と、調整レバー２４に組み付けられるねじ板（雌ねじ体）２５と、ねじ板２５にねじ込まれて調整レバー２４を揺動操作する調整ねじ２６と、調整ねじ２６を回転自在な状態で抜け止め保持する止板２７とを含む。これらの構成部品の全ては、ボディ２０に形成した、上面が開口する断面鍵穴状の凹部２３内に組み込まれていて、外部から見ることはできない。
【００２８】
図５および図７において調整レバー２４は、前後一対のアーム壁を有するプレス金具からなり、その一側にねじ板２５を傾動可能に支持する操作アーム２８が、他側にランナー軸１２を座金２９を介して支持する駆動アーム３０がそれぞれ設けられている。
【００２９】
調整ねじ２６の調整操作をより楽な姿勢で簡便に行えるようにするために、調整ねじ２６の全体を鉛直線に対して傾斜姿勢にしてあり、その操作頭部３１がボディ２０の下隅に露出している。調整ねじ２６を締緩操作して調整レバー２４を上下に揺動操作すると、ランナー軸１２の支持高さが変化し、その分だけ戸パネルＰ１・Ｐ２の吊高さを個別に調整できる。
【００３０】
図６においてランナー台１３は、平面視の外郭線が逆Ｖ字状に形成された嵌合部３３と、嵌合部３３の前面両側に張り出し形成されたフランジ３４とを備えたプラスチック成形品からなり、嵌合部３３をソケット１４の連結凹部３６に嵌め込み装填することにより、ソケット１４と一体化される。
【００３１】
連結凹部３６に装着したランナー台１３が分離するのを阻止するために、フランジ３４の下部の左右にロック爪３７を設け、嵌合部３３の上部に設けた水平のガイド溝でロックピース３８を前後スライド自在に支持している。ロック爪３７は、連結凹部３６の前開口縁に沿って形成した抜止部３９と係合して、嵌合部３３が抜け出るのを防止する。一対のロック爪３７を接近する向きに弾性変形させると、抜止部３９との係合状態を解除できる。符号４０は牽制アームである。
【００３２】
ロックピース３８は、概ね台形状のベース４２と、ベース４２の前面に突設したコ字状の操作片４３とを備えたプラスチック成形品からなり、ベース４２の斜辺部に前後一対のロック突起４４を突設してある。
【００３３】
図３において、ロックピース３８は、圧縮コイル形のばね４５で後ろ向きにロック付勢されてランナー軸１２で受け止められており、このロック状態においてロック突起４４の上面で、連結凹部３６の内面後部に形成した一対の突起４６の下面を受け止めることにより、ランナー台１３が連結凹部３６から分離するのを阻止している。ばね４５に抗して操作片４３を引っ張り操作すると、ロック突起４４と突起４６との係合状態が解除されて、ランナー台１３を連結凹部３６から分離することができる。
【００３４】
開口側端側の戸パネルＰ１の開放移動を規制するために、ランナー本体１０とガイドレール２との間には、ランナー本体１０の移動を規制するランナー規制具を有する。図４においてランナー規制具は、ガイドレール２の上壁内面に固定された規制ベース４８と、ランナー本体１０のボディ２０の上面に設けられて上下方向に弾性変形できる規制アーム４９と、規制アーム４９を押し上げ付勢する圧縮コイル形のばね５０と、ばね５０の付勢力を調整するばね調整ねじ５１とからなる。
【００３５】
規制ベース４８は四角形状のプラスチック成形品であり、その中央に左右横長のビス穴５２を形成してあり、ランナー本体１０の移行方向の左右側面が、それぞれ規制アーム４９の係合片５５を受け止める一対の受面５３・５４に形成されている。後述するように、ランナー本体１０は、規制アーム４９の係合片５５が規制ベース４８を乗り越えることで、規制ベース４８の下面側を通り抜けることができる。
【００３６】
係合片５５が規制ベース４８をレール端側へ乗り越える場合の乗り越え抵抗を、逆向きに乗り越える場合の乗り越え抵抗より大きくするために、レール側端側の受面５３の傾斜角度は、他方の受面５４の傾斜角度に比べて大きく設定した。つまり、ランナー本体１０は、規制ベース４８とレール端との間のスペース内へは入りやすいが、同スペースからは出にくいようにしてある。符号５９は規制ベース４８を締結固定するビスである。このビス５９はガイドレール２を固定するためのビスを兼ねることができる。
【００３７】
図４および図７において規制アーム４９は、ボディ２０と一体に形成された片持ち梁状のアームを含み、その先端上面に三角形状の係合片５５を突設し、先端下面にばね受用のボス５６を突設してある。ばね調整ねじ５１は六角穴付ボルトからなり、ボディ２０に設けたねじ穴５７にねじ込まれてボス５６と正対しており、これら両者の間にばね５０を配置してある。したがって、ばね調整ねじ５１を締緩操作すると、ばね５０の張力を大小に変更して、係合片５５が規制ベース４８を乗り越える時の乗り越え抵抗を調整できる。
【００３８】
図１に示すようにパネル対Ｐを完全に展張して開口面を閉じた状態では、係合片５５と受面５３とが横方向に隣接して、係合片５５が恰も規制アーム４９を突っ張り支持した状態で受け止めるので、ランナー本体１０が開放方向へ移動するのを確実に規制できる。
【００３９】
この状態におけるランナー本体１０は、規制ベース４８とレール端との間のスペース内に位置していて、戸パネルＰ１の側端面が開口枠１の内側面に対して僅かな余裕隙間を介して実質的に接触している。この閉じ状態からパネル対Ｐを折り畳んで開口面を開放し、折り畳み状態のパネル対Ｐの全体をガイドレール２に沿って開口中央側へ移動操作すると、係合片５５が規制アーム４９を弾性変形させながら規制ベース４８を乗り越えるので、パネル対Ｐを全開放できる。
【００４０】
以上のように構成した折戸用の支持装置においては、以下の要領でパネル対Ｐをランナー本体１０に吊り込む。戸パネルＰ１・Ｐ２にはソケット１４を予め組み付けておく。ガイドレール２に、各パネル対Ｐに対応して、２個を一組とするランナー本体１０を組み込む。このとき、一組のランナー本体１０は、規制アーム４９の先端どうしが対向する向きに装填し、図８に示すように隣接するランナー台１３の牽制アーム４０どうしを互いに係合させて、隣接するランナー台１０がランナー軸１２まわりに回転するのを規制しておく。
【００４１】
次に、図８（ａ）に示すように、二つ折りにしたパネル対Ｐを抱え上げて、回転規制された一対のランナー台１３を戸パネルＰ１・Ｐ２の対向面で挟み保持する。このとき、嵌合部３３の下半部が連結凹部３６に概ね臨むように、パネル対Ｐの高さを目分量で調整する。
【００４２】
その状態を維持したままで、パネル対Ｐを手前へ引いて図８（ｂ）に示すように、ランナー台１３をソケット１４の連結凹部３６へ落とし込み係合する。この前後方向の第１係合動作によって、ロック爪３７が弾性変形しながら抜止部３９に落ち込み係合して、パネル対Ｐとランナー台１３との仮組み状態を保持できる。
【００４３】
上記の仮組み状態において、パネル対Ｐを押し上げ操作すると、突起４６がロックピース３８のロック突起４４に下面側から接して、ロック突起４４をばね４５の付勢力に逆らいながら押し退けて上方移動する。同時に、ロックピース３８がばね４５で復帰移動操作されてロック姿勢に切り換わり、そのロック突起４４の上面で突起４５の下面を受け止めて、ランナー台１３とソケット１４とが分離するのを阻止する。これら一連の吊り込み作業は、一人の作業者で行えるので、従来の取付構造に比べて折戸を迅速かつ簡便に吊り込める。
【００４４】
規制ベース４８はガイドレール２の上壁の任意位置に固定できる。したがって、規制ベース４８をガイドレール２の中途部に固定しておけば、その位置で規制アーム４９の係合片５５を受け止めてパネル対Ｐを移動規制できる。必要があれば、２個の規制ベース４８を隣接固定して、両規制ベース４８で隣接するランナー本体１０の係合片５５を同時に受け止めて、左右のパネル対Ｐ・Ｐをガイドレール２の任意位置において移動規制することができる。
【００４５】
戸パネルＰ１・Ｐ２の吊高さを調整するときは、パネル対Ｐを折り畳んで調整ねじ２６の操作頭部３１の外面を開放し、ドライバーなどの操作工具で調整ねじ２６を回転操作して、ランナー軸１２を上下に調整移動する。同様に、規制アーム４９の乗り越え抵抗を調整する場合には、ばね調整ねじ５１の下面空間を開放したのち、ドライバーなどの操作工具でばね調整ねじ５１を回転操作して、ばね５０の圧縮長さを変更し、その張力を調整する。
【００４６】
このように、ばね５０の張力を調整できるようにすると、施工情況に応じて規制アーム４９の乗り越え抵抗を最適の状態に調整できるし、施工後であっても、規制アーム４９の弾性力の変化や、規制ベース４８および係合片５５の摩滅などに対応して、その乗り越え抵抗を調整変更して好適化できる。
【００４７】
上記の実施例では、規制アーム４９をボディ２０と一体に形成したが、規制アーム４９を独立した部品で形成して、ボディ２０に組み込んでもよい。規制アーム４９は上下に弾性変形する必要はなく、例えば規制アーム４９が前後に弾性変形して規制ベース４８を乗り越える形態を採ることができる。
【００４８】
取付部１１は、実施例で説明した構造である必要はなく、既知の取付構造を適用できる。例えば、ランナー台１３を戸パネルＰ１・Ｐ２の側端面に装着したソケット１４に対して、側方から嵌め込み連結する取付構造であってもよい。さらに、ランナー軸１２が固定された逆Ｌ字状の金具を、戸パネルＰ１・Ｐ２にビスで直接締結固定する形態の取付構造であってもよい。
【００４９】
高さ調整機構における雌ねじ体２５は、調整レバー２４側に形成してもよい。その場合には、調整ねじ２６をボディ２０で回転自在にしかも傾動可能に支持して、調整レバー２４の揺動動作を調整ねじ２６側で吸収できるようにする。規制ベース４８の受面５３・５４のうち、レール端側の受面５３は傾斜面であることを要しない。例えば、規制ベース４８の下縁を丸めて受面５３とすることができる。本発明の支持装置は、引戸にも適用できる。支軸はローラー軸２１とは別に設けることができる。
【図面の簡単な説明】
【００５０】
【図１】戸パネルの支持装置の正面図である。
【図２】折戸を開放した状態の正面図である。
【図３】図１におけるＡ−Ａ線断面図である。
【図４】ランナー本体とランナー規制具の断面図である。
【図５】図４におけるＢ−Ｂ線断面図である。
【図６】ランナーの取付部を示す分解斜視図である。
【図７】ランナー本体の分解斜視図である。
【図８】パネル対の吊り込み要領を示す平面図である。
【符号の説明】
【００５１】
２  ガイドレール
１０  ランナー本体
１１  取付部
１２  ランナー軸
２０  ボディ
２１  支軸
２４  調整レバー
２５  雌ねじ体
２６  調整ねじ
４８  規制ベース
４９  規制アーム
５０  ばね
５１  ばね調整ねじ
５３・５４  受面
５５  係合片
Ｐ１・Ｐ２  戸パネル
【図１】
2005171714.tif 000003
【図２】
2005171714.tif 000004
【図３】
2005171714.tif 000005
【図４】
2005171714.tif 000006
【図５】
2005171714.tif 000007
【図６】
2005171714.tif 000008
【図７】
2005171714.tif 000009
【図８】
2005171714.tif 000010